(57)【要約】【課題】熟練を必要としないで、ロック形状を狂わさずに刃部のエッジ部分に角を付ける研磨を行い得るアイススケート靴用刃研磨装置を提供する。【解決手段】架台１２に、上端面１３ａ，１４ａがロック形状となっているテンプレート１３，１４と、刃部Ｂを上向きにしてかつテンプレート１３，１４に平行に並ばせて挟持しうる刃部挟持手段１５とを備えている。刃面高さ位置合わせ手段１６をテンプレート１３，１４上に載せて固定し、刃部挟持手段１５により挟持される刃部Ｂの刃面Ｂ１を下から当接してテンプレート１３，１４の上端面１３ａ，１４ａに対応する高さに位置合わせする。刃面高さ位置合わせ手段１６を外し、研磨手段１７をテンプレート１３，１４上にセットし、砥石１０，１１の高さ調整し必要な研磨代を設定する。研磨手段１７をテンプレート１３，１４の上端面１３ａ，１４ａに倣いつつ人力により移動し刃面Ｂ１を研磨する。【選択図】図１
2011045971.tif 000002
【特許請求の範囲】
【請求項１】
アイススケート靴の滑走ブレードの刃部の刃面に砥石を密着させて該砥石を刃部の長手方向に摺動させて刃部のエッジ部分に角を付け、かつ刃部に従前と同じロック形状を保持するように研磨するアイススケート靴用刃研磨装置であって、
架台と、
上記架台に固定され上端面がロック形状となっているテンプレートと、
上記架台に設けられ上記刃部を上向きにしてかつ上記テンプレートに平行に並ばせて挟持しうる刃部挟持手段と、
上記刃部挟持手段により挟持される上記刃部の刃面を上記テンプレートの上端面に対応する高さに位置合わせする刃面高さ位置合わせ手段と、
上記刃面高さ位置合わせ手段により刃面の高さを位置合わせされかつ上記刃部挟持手段により挟持された上記刃部に対して、高さ調整自在に備えた砥石を、上記テンプレートの上端面に倣いつつ移動して上記刃部に従前と変わらないロック形状を保持しつつエッジ部分に角が出るように上記刃面を研磨する研磨手段と、
を備えたことを特徴とするアイススケート靴用刃研磨装置。
【請求項２】
前記研磨手段が、
前記砥石と、この砥石を支持して高さを調整する砥石高さ調整機構と、前記テンプレートに係合案内されるガイド体と、上記テンプレートの上端面であるレール面を転動し得るローラと、上記砥石と上記砥石高さ調整機構と上記ガイド体と上記ローラとを支持するホルダーフレームと、からなることを特徴とする、請求項１記載のアイススケート靴用刃研磨装置。
【請求項３】
前記ローラが、
前記テンプレートの上端面の離れた二点を転動するように複数備えられていることを特徴とする、請求項１又は２記載のアイススケート靴用刃研磨装置。
【請求項４】
前記テンプレートが、離間されたかつ平行な位置となるように２つ備えられていると共に、前記刃部挟持手段が、２つのテンプレートの両側に位置して２つ備えられていることを特徴とする、請求項１乃至３のいずれかに記載のアイススケート靴用刃研磨装置。
【請求項５】
前記刃面高さ位置合わせ手段が、前記２つのテンプレートの長手方向の両側位置に平面視において直角に掛け渡されるように二組有し、各一組が、前記２つのテンプレートに平面視において直角に掛け渡され、前記刃部挟持手段により挟持される前記ハブより外方へ伸びているバー部材と、上記バー部材を上記テンプレートから浮き上がり不能に前記架台又は前記刃部挟持手段の前記架台と一体に固定された部材若しくは前記テンプレートに対して解除自在に連結する連結手段と、を有してなり、
バー部材の下面で前記刃部を当接停止して前記刃面高さを位置合わせすることを特徴とする、請求項４記載のアイススケート靴用刃研磨装置。
【請求項６】
前記刃部挟持手段が、
前記架台側に固定されたアンビルバーと、
上記アンビルバーに対向して接近離隔自在に前記架台側に支持された挟圧バーと、
前記挟圧バーを前記架台側へ締め付ける締付具と、
からなることを特徴とする、請求項１乃至５のいずれかに記載のアイススケート靴用刃研磨装置。
【発明の詳細な説明】
【技術分野】
【０００１】
本発明は、アイススケート靴の滑走ブレードの刃部を研磨するアイススケート靴用刃研磨装置に関する。
【背景技術】
【０００２】
アイススケート靴の滑走ブレードの刃部は、アイススケートリンクの滑走トラックのコーナーに沿って円滑に曲がって滑走できるようにするために、アイススケート靴の刃部にロック形状が付けられている。ロック形状とは、刃部の長手方向の中央部が前後部よりもわずかに高くなっている概略円弧形状のことをいう。
【０００３】
滑走においては、刃部を滑走方向に対して平面視において必要角度向きを変え、かつ刃部のエッジ部分（刃面の角）を氷の表面に突き立てて、後ろ足でリンクを蹴る動作を行う。特に、滑走トラックのコーナーを曲がるときには、上記動作を多用する。
【０００４】
このため、滑走によってエッジ部分が磨耗する。エッジ部分が丸くなると、エッジ部分で氷を捉えられず推進力が減少してしまう。さらに、エッジ部分が丸くなると、酷いときにはコーナー滑走で転倒することが起きる。推進力の減少やコーナー滑走での転倒を防ぐために、滑走後は頻繁に刃部のエッジ部分に角を付ける補修研磨を行う必要がある。
【０００５】
滑走後のアイススケート靴の刃部は、中央部で磨耗が大きく、かつエッジに丸みが付いているので、刃面を研磨する場合、刃面の全長に渡り均一に力をかけることが難しいことに加え、エッジに丸みが付いている中央部では砥石の接触面幅が小さいことから砥石の同じ押付力を加えても該中央部での面接触圧が高くなり、中央部に力を入れて研磨しているのと同じ状態になり、刃部の中央部の研磨量が前後部に研磨量よりも大きくなる傾向がある。
【０００６】
このような研磨が行われると、刃部にロック形状として付けられていた円弧の曲率半径よりも大きな曲率半径の円弧となるように研磨してしまうことになり、このため、刃部のロック形状の曲率が狂い、ひどいときには逆に刃部の中央部が低くなってしまうことがあった。この場合は、当然カーブがうまく曲がれない、スピードが出ないなど競技に支障をきたすこととなり、そのため、専門の技術者が研磨を実施するのが普通であった。
【０００７】
専門の技術者は、滑走後のアイススケート靴の刃部が、中央部で磨耗が大きく付いていてかつエッジに丸みが付いていることにより、エッジに丸みが付いている刃面の中央部では砥石の接触面幅が小さいから砥石の押付力を小さくし、刃面の前後部では砥石の押付力を大きくすることに熟練しているので、研磨後もほぼ所定の曲率半径のロック形状を復元でき、かつエッジ部分に角を付けられる。
【０００８】
従来のアイススケート靴用刃研磨装置によれば、一足のアイススケート靴の刃部を上に向けかつ平行に並べて基台にセットし、作業者が装置本体を両手で保持し、一対の回転砥石を回転して両方の刃部の上面に押し当て、これに伴い、両靴の間において装置本体の被ガイド部と基台に設けられたガイド部とが係合し、被ガイド部とガイド部とのガイド作用の助けを借りて回転砥石を刃部に沿って移動することで刃研磨を行い刃部のエッジ部分に角を付けるものであった。
【０００９】
例えば、特許文献１にはアイススケート靴用刃研磨装置が開示されている。この研磨装置は、駆動部取付板（フレーム）と、一対の電動機と、一対の研磨円板と、を有してなる。一対の研磨円板は、駆動部取付板の下面に形成された一対の切欠き内に収容され、下面に研磨部を備えている。一対の電動機は、駆動部取付板の上面に固定されていて、その回転軸が、駆動部取付板に設けられた軸孔に通されさらに研磨部の中心孔に通されてナットが螺合して締め付けられ、研磨円板を固定支持している。駆動部取付板の下面には回転軸間の中心線に沿って直線的な凹部又は凸部が形成されていて、凹部又は凸部が基台に設けられたガイド手段によりガイドされている。
【００１０】
作業者は、両手でこの研磨装置を支持し、一対の電動機を相反する方向に駆動し、相反する方向に回転する一対の研磨円板を、基台に滑走ブレードの刃部を上に向けかつ平行に並べてセットした一足分のアイススケート靴の刃部に押圧させ、ガイド手段によりガイドされる方向に往動若しくは復動させることにより研磨する。
【先行技術文献】
【特許文献】
【００１１】
【特許文献１】実開平５−７０８５６号公報
【発明の概要】
【発明が解決しようとする課題】
【００１２】
しかしながら、特許文献１に記載されたアイススケート靴用刃研磨装置は、研磨代を規制できる構成ではない。このため、この研磨装置は、研磨円板を一足のアイススケート靴の刃部に左右および前後で均一の押圧力が加わるようにしないと、刃部の中央部に付けられているロック形状を壊して研磨してしまう虞があった。しかし、研磨円板を一足のアイススケート靴の刃部に左右および前後で均一に当たるようにすることは熟練が必要であった。
【００１３】
本発明は、上述した点に鑑み案出されたものであり、熟練を必要としないで、ロック形状を狂わさずに刃部のエッジ部分に角を付ける研磨を行うことができるアイススケート靴用刃研磨装置を提供することを目的としている。
【課題を解決するための手段】
【００１４】
上記目的を達成するため、本発明のアイススケート靴用刃研磨装置は、アイススケート靴の滑走ブレードの刃部の刃面に砥石を密着させてこの砥石を刃部の長手方向に摺動させて刃部のエッジ部分に角を付け、かつ刃部に従前と同じロック形状を保持するように研磨するアイススケート靴用刃研磨装置であって、架台と、架台に固定され上端面がロック形状となっているテンプレートと、架台に設けられ上記刃部を上向きにしてかつテンプレートに平行に並ばせて挟持しうる刃部挟持手段と、この刃部挟持手段により挟持される刃部の刃面をテンプレートの上端面に対応する高さに位置合わせする刃面高さ位置合わせ手段と、この刃面高さ位置合わせ手段により刃面の高さを位置合わせされかつ刃部挟持手段に挟持された刃部に対して、高さ調整自在に備えた砥石を、テンプレートの上端面に倣いつつ人力により移動して刃部に従前と変わらないロック形状を保持しつつエッジ部分に角が出るように刃面を研磨する研磨手段と、を備えたことを特徴とする。
【００１５】
本発明によれば、上端面がロック形状となっているテンプレートと、刃部を上向きにしてかつテンプレートに平行に並ばせて挟持しうる刃部挟持手段とを架台に備えている。刃面高さ位置合わせ手段をテンプレート上に載せて固定し、刃部挟持手段により挟持される刃部の刃面を下から当接してテンプレートの上端面に対応する高さに位置合わせする。刃面高さ位置合わせ手段を外し、研磨手段をテンプレート上にセットし、砥石を高さ調整し必要な研磨代を設定する。研磨手段はテンプレートに接し転動する複数のローラで左右方向で安定的に保持されており、研磨手段をテンプレート研磨が必要なアイススケート靴のロック形状と同じテンプレートを用い、エッジをつけるに必要な研磨代を正確に砥石に付与し、テンプレートに沿って砥石を前後させ刃部の研磨を行う。
【００１６】
上記構成によれば、テンプレートの上端面を倣って移動する研磨手段に不均一な人力が加わっても、テンプレートで姿勢が規制されると共に、研磨代が規制されるため、ロック形状が損なわれることがない。そのためアイススケート靴を履く選手が自分で、わずかなエッジの摩耗した丸みを修正するためにアイススケート靴の刃部の研磨をすることも可能で、アイススケート競技会場で、競技の前に、都度、研磨することができ、いつもベストな状態のアイススケート靴で競技に臨むことができる。
【発明の効果】
【００１７】
本発明によれば、熟練を必要としないで、ロック形状を狂わすことなく刃部のエッジ部分に角を付ける研磨を行うことができるアイススケート靴用刃研磨装置を提供することができる。
【図面の簡単な説明】
【００１８】
【図１】本発明の実施形態に係るアイススケート靴用刃研磨装置の斜視図である。
【図２】図１の刃研磨装置にアイススケート靴の刃部を固定した状態を示す斜視図である。
【図３】図１の刃研磨装置にアイススケート靴の刃部を固定した状態を示す側面図である。
【図４】図１の刃研磨装置の刃面高さ位置合わせ手段を示す斜視図である。
【図５】図１の刃研磨装置でアイススケート靴の刃部を研磨する状態を示す斜視図である。
【図６】図１の刃研磨装置の研磨手段を示す斜視図である。
【図７】図１の刃研磨装置の研磨手段の砥石高さ調整機構を示す側面図である。
【発明を実施するための形態】
【００１９】
以下、本発明の実施形態について図面を参照して説明する。
〔構成〕
図１及び図３に示すように、アイススケート靴用刃研磨装置１は、架台１２と、一対のテンプレート１３，１４と、逆さ吊りにする一足のアイススケート靴（図示しない）の滑走ブレードＡの刃部Ｂを挟持する一対の刃部挟持手段１５と、一対の刃面高さ位置合わせ手段１６と、テンプレート１３，１４の上端面を移動レールとする研磨手段１７と、を備えている。研磨手段１７は、刃部Ｂの刃面Ｂ１を研摩する一対の砥石１０，１１と、一対の砥石高さ調整機構１７ａと、移動方向配列のローラ１７ｃ，１７ｄを含んでなる。
【００２０】
架台１２は、この実施形態では一対の立面板よりなり、アイススケート靴のつま先側とかかと側とに並んで設けられる。
【００２１】
図３に示すように、一対のテンプレート１３，１４は、長手方向を水平方向に合わせかつ長手方向に対する垂直な断面形状の長手方向を垂直方向に合わせて平行に離間され、両端を連結板２１，２１で連結されて、さらに両端部を一対の架台１２の上部の矩形湾部１２ａに嵌合されボルト２２で固定されている。
【００２２】
一対のテンプレート１３，１４は、上端面１３ａ，１４ａにアイススケート靴の刃のロック形状と同一形状、すなわち大きな曲率半径の上に向かって凸となる円弧面が形成されていて、この円弧面がレール面となっている。
【００２３】
図３に示すように、一対の刃部挟持手段１５は、一対のテンプレート１３，１４の両側に対称的に配設されかつテンプレート１３，１４の上端面１３ａ，１４ａより所定寸法低い位置となるように設けられている。刃部挟持手段１５は、アンビルバー１５ａと、挟圧バー１５ｂと、締付具（ねじ）１５ｃとを有してなる。アンビルバー１５ａは両端を一対の架台１２に載置されボルトで固定されている。挟圧バー１５ｂは、両端下面より一体に垂下するブラケット１５ｄ，１５ｄを締付具１５ｃで架台１２の側面に締付固定されることで、アンビルバー１５ａと協働して刃部Ｂを挟持する。従って、刃部挟持手段１５は、架台１２より設けられ刃部Ｂを上向きにしてかつテンプレート１３，１４に平行に並ばせて挟持しうる。
【００２４】
図２、図４に示すように、一対の刃面高さ位置合わせ手段１６は、一対のテンプレート１３，１４の長手方向の両側位置に平面視において直角に掛け渡されるように配置されている。各一組の刃面高さ位置合わせ手段１６は、一対のテンプレート１３，１４に平面視において直角に掛け渡され、刃部挟持手段１５により挟持される刃部Ｂより外方へ伸びているバー部材１６ａと、バー部材１６ａをテンプレート１３，１４から浮き上がり不能に架台１２又は刃部挟持手段１５の架台１２と一体に固定された部材若しくはテンプレート１３，１４に対して解除自在に連結する連結ボルト１６ｂと、を有してなる。
【００２５】
一対の刃面高さ位置合わせ手段１６は、研摩に先立ち、バー部材１６ａをテンプレート１３，１４から浮き上がり不能に取り付けられ（図２、３参照）、刃部Ｂの刃面Ｂ１をバー部材１６ａの下面で刃部Ｂを当接停止して刃面Ｂ１高さをテンプレート１３，１４の上端面１３ａ，１４ａに対応する高さに位置合わせすると、役目を終えて取り外される（図５参照）。
【００２６】
図６、図７に示すように、研磨手段１７は、一対の砥石１０，１１と、一方の砥石１０又は１１を支持して高さを調整する一対の砥石高さ調整機構１７ａと、テンプレート１３，１４の上端面１３ａ，１４ａであるレール面を転動し得るローラ１７ｃ，１７ｄと、一対のテンプレート１３，１４に挟まれて係合案内されかつローラ１７ｃ，１７ｄを支持するガイド体１７ｂと、砥石１０，１１とガイド体１７ｂと上記ローラ１７ｃ，１７ｄとを支持するホルダーフレーム１７ｅと、からなる。
【００２７】
ローラ１７ｃ，１７ｄは、テンプレート１３，１４の上端面１３ａ，１４ａの離れた二点を転動するように複数備えられている。
【００２８】
砥石高さ調整機構１７ａは、調整ねじ１７１と、ロックボルト１７２と、砥石支持ボルト１７３と、ロックナット１７４とを有してなる。調整ねじ１７１は、中心を貫通する軸孔１７１ａと、外周面に形成された雄ねじ部１７１ｂと、上端部に形成されたレンチ係合部１７１ｃとを有してなる。
【００２９】
調整ねじ１７１は、雄ねじ部１７１ｂがホルダーフレーム１７ｅに上下に貫通して設けられた縦ねじ孔（符号なし）に螺合され、調整ねじ１７１の螺合状態が、ホルダーフレーム１７ｅの側面よりに縦ねじ孔に貫通して設けた横ねじ孔（符号なし）に螺合されたロックボルト１７２でロックされる。
【００３０】
砥石支持ボルト１７３は、頭部１７３ａと首部ねじ部１７３ｂと、軸部１７３ｃと、先端ねじ部１７３ｄとを有してなる。砥石支持ボルト１７３は、ロックナット１７４のねじ孔に先端ねじ部１７３ｄと軸部１７３ｃを通し、ロックナット１７４のねじ孔を首部ねじ部１７３ｂに螺合してから、先端ねじ部１７３ｄと軸部１７３ｃをホルダーフレーム１７ｅの孔に通し、先端ねじ部１７３ｄを砥石１０又は１１の上面中心に螺設したねじ孔に堅結されている。
【００３１】
研磨手段１７は、刃面高さ位置合わせ手段１６の調整ねじ１７１を調整することにより砥石１０又は１１の研磨面（下面）を刃部挟持手段１５により挟持された刃部Ｂの刃面Ｂ１の高さに位置合わせすることができ、かつローラ１７ｃ，１７ｄが各テンプレート１３又は１４の上端面１３ａ，１４ａを転動するように人力により移動させると、高さ調整した砥石１０，１１を、テンプレート１３，１４の上端面１３ａ，１４ａのロック形状に倣いつつ移動させることができ、もって、移動経路が規制されかつ研磨代が規制された砥石１０，１１で刃面Ｂ１を必要最小限度に研磨して刃部Ｂに従前と変わらないロック形状を保持しつつエッジ部分に角を出す研磨が行える。
【００３２】
続いて、上記構成でなるアイススケート靴用刃研磨装置１の取り扱い方法について説明する。
〔刃部の固定手順〕
（１）刃面高さ位置合わせ手段１６の取付け
図２、図３、図４に示すように、バー部材１６ａの両端に設けられている連結ボルト１６ｂをアンビルバー１５ａに設けたねじ孔に螺合して、バー部材１６ａをテンプレート１３，１４の上端面１３ａ，１４ａに載置させた状態に固定する。
（２）一足の刃部Ｂ，Ｂをアンビルバー１５ａと挟圧バー１５ｂとの間に下方から挟入し、さらに押上げて刃部Ｂ，Ｂの刃面Ｂ１，Ｂ１をバー部材１６ａの下面に当接させる。これによって、刃部Ｂ，Ｂの刃面Ｂ１，Ｂ１をテンプレート１３，１４の上端面１３ａ，１４ａと同じ高さでセットする。
（３）締付具１５ｃを締め付けて、挟圧バー１５ｂをアンビルバー１５ａの方向に移動し、アンビルバー１５ａと挟圧バー１５ｂとで共同して刃部Ｂを挟持する。
【００３３】
従って、刃部Ｂを上向きにしてかつテンプレート１３，１４に平行に並ばせて、刃部Ｂ，Ｂの刃面Ｂ１，Ｂ１をテンプレート１３，１４の上端面１３ａ，１４ａと同じ高さでセットする。
〔研磨手順〕
（１）研磨代の設定および調整
図５、図６、図７に示すように、研磨代の設定および調整は、砥石高さ調整機構１７ａの調整ねじ１７１を回して、砥石１０，１１の高さを調整する。テンプレート１３，１４に対して同じ高さにセットされたアイススケート靴の刃部Ｂ，Ｂに対して砥石１０，１１が当たるように調整ねじ１７１を回す。この段階では、研磨代がゼロであるので必要な量の研磨代となるように、さらに調整ねじ１７１を回した後、ロックボルト１７２を締め付ける。
（２）刃面高さ位置合わせ手段１６の取り外し
連結ボルト１６ｂによるバー部材１６ａとアンビルバー１５ａとの連結を解いて刃面高さ位置合わせ手段１６を取り外す。
（３）研磨
研磨手段１７のホルダーフレーム１７ｅを把持し往復動させる。すると、各テンプレート１３又は１４上をローラ１７ｃ，１７ｄが前後して転動するので、砥石１０，１１はテンプレート１３，１４に倣って移動されることになる。これにより、アイススケート靴用刃研磨装置１で、アイススケート靴の滑走ブレードＡの刃部Ｂの刃面Ｂ１に砥石１０，１１を密着させて砥石１０，１１を刃部Ｂの長手方向に摺動させて刃部Ｂのエッジ部分に角を付け、かつ刃部Ｂに従前と同じロック形状を保持するように研磨することができる。
【００３４】
上記構成において、一対のテンプレート１３，１４を所定間隔でかつ平行に離間した状態に備えている理由は、砥石１０，１１を一足のアイススケート靴の刃部Ｂ，Ｂに密着させるとき、刃部Ｂ，Ｂの長尺方向に直交する水平方向に沿った水平面について砥石の研摩面を安定させる必要からである。また、各テンプレート１３，１４上を前後に位置して転動する２個のローラ１７ｃ，１７ｄを備えているのは、研摩において、刃部Ｂの長さ方向に沿った水平面を安定させる必要からである。
【００３５】
このため、左右前後配置の４個のローラにより、砥石代の左右方向の安定性及び前後方向の安定性が保たれ、不均一な外力が加わっても砥石１０，１１は安定して刃部Ｂを研磨することができる。ホルダーフレーム１７ｅは取り付けられた２個のローラ１７ｃ，１７ｄがテンプレート１３，１４で規制された以上には下がることがないので、力が不均一にかかったとしても安定した姿勢が確保され、砥石１０，１１が必要以上にアイススケート靴の刃部Ｂ，Ｂを研磨することはない。
【００３６】
上記構成によれば、刃部Ｂとテンプレートを近傍に配置し高さを一致させることでテンプレート１３，１４のレール面のロック形状を倣いガイドとして砥石１０，１１をレール面のロック形状に正確に一致させて往復動させることができるので、刃部Ｂにレール面のロック形状を転写する研摩を行うことができ、常に狂いの無い最良のロック形状に研磨を行うことができかつエッジ部分にシャープな角を蘇生する研磨を行うことができる。このため、アイススケート靴の刃部Ｂにダメージを与えることがなく、熟練を必要としないで、ロック形状を狂わさずに刃部Ｂのエッジ部分に角を付ける研磨を行うことができる。
【００３７】
上記構成によれば、テンプレート１３，１４に合わせて一足分のアイススケート靴の刃部Ｂ，Ｂをセットした後、刃部Ｂの研磨代を設定できる。このため、刃部Ｂを必要以上に研磨することを回避でき、しかもロック形状の曲率半径を損なわないで、刃部Ｂのエッジに直角な角を付けることを短時間で行えるから、必要であれば競技の度ごとに研磨してもよく、エッジ部分にシャープな角を蘇生したいつもベストな状態で滑走することができる。さらに、必要以上に研磨することを回避できるから、刃部Ｂの高さが大きく変わることがなく、アイススケート靴を長く使用することができる。
【００３８】
さらに、上記構成によれば、刃部Ｂを研磨する場合、一足分のアイススケート靴が干渉しないように刃部Ｂ，Ｂを離れさせてセットできるようして、刃部Ｂ，Ｂ間に十分大きなスペースを空け、このスペースを利用してテンプレート１３，１４を設けたため、既存の市販されている研磨機の外形寸法にほぼ同じ形態の中に納めながら機能を高めることが可能である。上記構成によれば、円形の砥石の研磨面が磨り減るのを防ぐために砥石の研摩代を調整する際に、円形の研磨面の使用箇所を少しずつずらして使うことが好ましい。
〔その他の実施形態〕
本発明は、上記の実施形態に限定されるものでなく、特許請求の範囲の技術的範囲には、発明の要旨を逸脱しない範囲内で種々、設計変更した形態が含まれる。
【００３９】
本発明は、選手またはマネジャーが購入後のアイススケート靴の維持管理に使用するアイススケート靴用刃研磨装置として適するが、これに限定されない。
【００４０】
上記実施形態では、砥石が回転しない構成を示したが、砥石が回転しない構成では、砥石は非円形であって良い。また、大きくロック形状が狂ってしまったアイススケート靴の刃部を正しいロック形状に修正し、或いは、選手が自分の走りに合わせてロック形状の曲率を変えたい場合などにもそのロック形状を有するテンプレートに交換することで利用できる。
【００４１】
また、上記構成によれば、円弧の形状が大きく変わるテンプレートを使用することで自分の今のロック形状と異なるアイススケート靴として、オリジナルのアイススケート靴の製作も可能となる。
【００４２】
本発明は、砥石が回転しない構成に限定されない。砥石部分にモータで回転する砥石を付けることで、アイススケート靴メーカーがアイススケート靴の刃部を製造するとき、ロック形状やエッジの付いていない刃部から新規に刃部を製造する場合に利用できる。
【符号の説明】
【００４３】
１…アイススケート靴用刃研磨装置、
Ａ…アイススケート靴の滑走ブレード、
Ｂ…刃部、
Ｂ１…刃面、
１０，１１…砥石、
１２…架台、
１３ａ，１４ａ…上端面、
１３，１４…テンプレート、
１５…刃部挟持手段、
１５ａ…アンビルバー、
１５ｂ…挟圧バー、
１５ｃ…締付具、
１６…刃面高さ位置合わせ手段、
１６ａ…バー部材、
１６ｂ…連結ボルト（連結手段）、
１７…研磨手段、
１７ａ…ガイド体、
１７ｃ，１７ｄ…ローラ、
１７ｄ…ホルダーフレーム、
【図１】
2011045971.tif 000003
【図２】
2011045971.tif 000004
【図３】
2011045971.tif 000005
【図４】
2011045971.tif 000006
【図５】
2011045971.tif 000007
【図６】
2011045971.tif 000008
【図７】
2011045971.tif 000009